(57)【要約】      （修正有）【課題】弁の操作部が土砂等に埋沈するのを簡便な構成で確実に防止すること。【解決手段】弁１１が埋設された弁筺１２内に挿し込まれるカバー本体２と、弁１１の開閉操作を行う操作部１３を覆うようにカバー本体２の下端部に形成された凹状のカバー部３と、を備えた弁操作部用カバー１を構成する。カバー部３が操作部１３を覆うことにより、弁筺１２内に入り込んだ土砂Ｓにこの操作部１３が埋沈して、弁１１の開閉操作ができなくなるのを防止することができる。【選択図】図２
2015152039.tif 000002
【特許請求の範囲】
【請求項１】
弁（１１）が埋設された弁筺（１２）内に挿し込まれるカバー本体（２）と、
前記カバー本体（２）の下端部に形成された、前記弁（１１）の開閉操作を行う操作部（１３）を覆う凹状のカバー部（３）と、
を備えた弁操作部用カバー。
【請求項２】
前記カバー本体（２）を前記弁筺（１２）に挿し込む際にこのカバー本体（２）を前記弁（１１）まで案内する案内部材（４）をさらに備えた請求項１に記載の弁操作部用カバー。
【請求項３】
前記カバー本体（２）を弾性部材で構成し、前記操作部（１３）を前記カバー部（３）で覆った際に、このカバー部（３）の内面と前記操作部（１３）の外形面、又は、前記カバー本体（２）の下端と前記操作部（１３）の取付け面のうち少なくとも一方を前記弾性部材の弾性力で密着させた請求項１又は２に記載の弁操作部用カバー。
【請求項４】
前記弾性部材が発泡樹脂である請求項３に記載の弁操作部用カバー。
【請求項５】
前記操作部（１３）がキャップ（１３ａ）である請求項１から４のいずれか１項に記載の弁操作部用カバー。
【請求項６】
前記カバー本体（２）に設けられ、前記弁（１１）に係る管理情報を記録したＩＣタグ（６）をさらに備えた請求項１から５のいずれか１項に記載の弁操作部用カバー。
【請求項７】
前記カバー本体（２）の前記弁筺（１２）への挿し込み方向への長さを所定の長さに切断する易切断線（５）を前記カバー本体（２）に形成した請求項１から６のいずれか１項に記載の弁操作部用カバー。
【発明の詳細な説明】
【技術分野】
【０００１】
この発明は、地下に埋設した上水道等の管路に設けられた弁の操作部が土砂等に埋没しないようにするための弁操作部用カバーに関する。
【背景技術】
【０００２】
上水道等の配水管には、所々に止水弁等の弁が設けられ、工事の際に一時的に水流を遮断できるようになっている。この弁には、開閉を行うための操作部が設けられている。弁の開閉操作の際には、この弁が収納された弁筺の蓋体（マンホールの蓋）を開き、マンホールから開閉用治具を弁筺内に挿し込んで、前記操作部の開閉操作を行う。ところが、弁によっては操作部を超える高さまで土砂や泥水に埋沈していることがあり、その場合、開閉用治具で操作部をスムーズに操作できない。
【０００３】
そこで、例えば特許文献１では、ボール弁に設けたフランジに凹溝を形成し、この凹溝に管を挿入固着して、ボール弁の開閉操作部に土砂等の異物が浸入しないようにしている。また、例えば特許文献２では、下端側が末広がり状の円筒の上部側及び下部側のそれぞれにゴムハット（第１ゴムハット、第２ゴムハット）を設けて保護カバーを構成し、第１ゴムハットで円筒とコンクリートボックスとの間の隙間を、第２ゴムハットで円筒と仕切弁のフランジカバーとの間の隙間をそれぞれ塞いで、円筒内への地下水等の流入を防いでいる。
【先行技術文献】
【特許文献】
【０００４】
【特許文献１】実開昭６１−１４０２６９号公報
【特許文献２】特許第４０３６３７９号公報
【発明の概要】
【発明が解決しようとする課題】
【０００５】
特許文献１に示すボール弁は、フランジに凹溝を加工した上で、管を挿入固着する必要があるため、その加工コストや作業コストが嵩む問題がある。また、特許文献２に示す保護カバーは、そのシール構造が複雑であるため、その製造コストが嵩む問題がある。
【０００６】
そこで、この発明は、弁の操作部が土砂等に埋沈するのを簡便な構成で確実に防止することを課題とする。
【課題を解決するための手段】
【０００７】
上記の課題を解決するため、この発明は、弁が埋設された弁筺内に挿し込まれるカバー本体と、前記カバー本体の下端部に形成された、前記弁の開閉操作を行う操作部を覆う凹状のカバー部と、を備えた弁操作部用カバーを構成した。
【０００８】
このように操作部を覆って、操作部が土砂等に埋沈するのを防止することにより、弁の操作を速やかに行うことができる。しかも、このカバー部は、カバー本体の下端部に単に操作部を覆う凹状の加工を施したものに過ぎないため、構成が非常に簡単であって、製造コストが嵩む恐れもない。
【０００９】
前記構成においては、前記カバー本体を前記弁筺に挿し込む際にこのカバー本体を前記弁まで案内する案内部材をさらに備えた構成とすることができる。
【００１０】
地表面と、地中に埋設した弁の操作部は、ある程度（通常１メートル以上）離れているため、操作部にカバー部を被せる作業に、作業者の熟練と手間を要することがある。案内部材を設けることにより、この案内部材にカバー本体を挿し込めば、このカバー部がスムーズに操作部まで案内されるため、作業者の熟練度によらずその作業を非常に容易に行うことができる。
【００１１】
前記各構成においては、前記カバー本体を弾性部材で構成し、前記操作部を前記カバー部で覆った際に、このカバー部の内面と前記操作部の外形面、又は、前記カバー本体の下端と前記操作部の取付け面のうち少なくとも一方を前記弾性部材の弾性力で密着させた構成とすることができる。
【００１２】
このように弾性部材の弾性力で密着させることにより、カバー部と操作部との間の隙間を極力塞いで、操作部の土砂等への埋沈防止作用を一層高めることができる。
【００１３】
前記弾性部材を用いる構成においては、この弾性部材を発泡樹脂で構成することができる。
【００１４】
この発泡樹脂は、切断等の加工を容易に行うことができるため、操作部の形状に合わせて、カバー部を容易にかつ低コストで成形することができる。
【００１５】
前記各実施形態においては、前記操作部をキャップとすることができる。
【００１６】
このキャップの形状やサイズは規格化（ＪＩＳＢ  ２０６２）されているため、規格化されたキャップの形状に合うようにカバー部を形成することにより、汎用性をもたせることができる。すなわち、弁ごとに異なる形状のカバー部を形成した弁操作部用カバーを用意する必要がなく、共通化することができるため、製造コストの低減を図ることができる。
【００１７】
前記各構成においては、前記カバー本体に設けられ、前記弁に係る管理情報を記録したＩＣタグをさらに備えた構成とすることができる。
【００１８】
このようにＩＣタグをカバー本体に設けることにより、弁に係る各種の管理情報（設置位置、点検履歴等）をこのＩＣタグに格納しておくことができる。そして、点検作業等の際に、ＩＣタグリーダでその管理情報を読み込むことによって作業者が弁に関する情報を入手して、スムーズに作業を行うことができる。
【００１９】
前記各構成においては、前記カバー本体の前記弁筺への挿し込み方向への長さを所定の長さに切断する易切断線を前記カバー本体に形成した構成とすることができる。
【００２０】
弁筺の長さ（弁の埋設深さ）は弁の種別等によって異なる場合があり、その長さに弁操作部用カバーの長さを合わせるのが好ましい。そこで、このように易切断線を予め形成しておけば、現場においてその易切断線でカバー本体を切断することにより、容易にその長さ調節を行うことができ、その弁筺に合った長さの弁操作部用カバーをスムーズに用意することができる。
【発明の効果】
【００２１】
この発明では、弁が埋設された弁筺内に挿し込まれるカバー本体と、前記カバー本体の下端部に形成された、前記弁の開閉操作を行う操作部を覆う凹状のカバー部と、を備えた弁操作部用カバーを構成した。弁の操作部にこの弁操作部用カバーを設けることにより、操作部に土砂等が到達するのを防止することができる。このため、弁の点検作業や緊急事態の際にその開閉操作を速やかに行うことができ、高い作業効率や安全性を確保することができる。
【図面の簡単な説明】
【００２２】
【図１】本願発明に係る弁操作部用カバーの実施形態を示し、（ａ）は斜視図、（ｂ）は要部の部分断面図
【図２】図１に示す弁操作部用カバーの使用態様を示す縦断面図
【図３】図１に示す弁操作部用カバーの使用態様を示す斜視図
【発明を実施するための形態】
【００２３】
本願発明に係る弁操作部用カバーの実施形態を図１に示す。なお、この実施形態はあくまでも一例であって、本願発明はこの実施形態に限定されない。
【００２４】
この弁操作部用カバー１は、弁１１が埋設された弁筺１２内に挿し込まれるカバー本体２と、カバー本体２の下端部に形成された、弁１１の開閉操作を行う操作部１３を覆う凹状のカバー部３とを備えている。このカバー本体２の素材として、例えば発泡ポリスチレン（ＥＰＳ）等の発泡樹脂が用いられる。カバー本体２の外径は、弁筺１２の内径一定の径とほぼ同じである。
【００２５】
この弁操作部用カバー１の使用態様を示す図２及び図３を用いて説明すると、一般的な弁筺１２は、上端部から中央付近までは一定の内径をしており、下部においてその内径が拡径した形状をしている。その上端部には蓋体１４が設けられていて、作業時にはこの蓋体１４を取り外して、弁１１の開閉操作を行うための操作用治具を挿し込むようになっている。この弁筺１２は、地中に埋設された円環状の台石１５上に載置されている。
【００２６】
この実施形態においては、弁筺１２の下方には、水道水を流通又は遮断するための水道用仕切弁１１が埋設されている。この仕切弁１１の頭部は、右又は左に回転させることによってこの仕切弁１１を開弁又は閉弁する操作部１３が設けられている。この操作部１３はキャップ１３ａとなっている。このキャップ１３ａは、規格（ＪＩＳＢ  ２０６２）によって、その形状及び寸法が規定されており、規格化されたキャップ１３ａの形状に合うようにカバー部３を形成することにより、汎用性をもたせることができる。
【００２７】
キャップ１３ａをカバー部３で覆うことにより、このキャップ１３ａが土砂Ｓや泥水（以下、土砂Ｓ等という。）に埋沈するのを防止して、弁の開閉操作をスムーズに行うことができる。カバー本体２の素材として、発泡ポリスチレン等の発泡樹脂を用いることにより、カバー部３の内面とキャップ１３ａの外形面、又は、カバー本体２の下端とキャップ１３ａの形成面のうち少なくとも一方を発泡ポリスチレンの弾性力で密着させることができる。このように密着させることにより、カバー部３とキャップ１３ａとの間の隙間を極力塞いで、操作部の土砂等への埋沈防止作用を一層高めることができる。
【００２８】
仕切弁１１の上部には、キャップ１３ａを取り囲むように筒状の案内部材４が設けられている。仕切弁１１のキャップ１３ａは、地表面からある程度（通常１メートル以上）離れているため、キャップ１３ａにカバー部３を被せる作業に、作業者の熟練と手間を要することがある。案内部材４を設けることにより、この案内部材４にカバー本体２を挿し込めば、このカバー部３がスムーズにキャップ１３ａまで案内されるため、作業者の熟練度によらずその作業を非常に容易に行うことができる。
【００２９】
この案内部材４は、図２及び図３に示すように、弁筺１２の下部の拡径部の高さ程度（内径一定部と拡径部の境界付近）まで設けるのが好ましい。この高さまで設けることにより、点検作業時に弁操作部用カバー１を上方に引き抜いた際に、この拡径部に入り込んだ土砂Ｓ等がキャップ１３ａ側に崩れてこのキャップ１３ａが埋沈するのを防止することができるためである。
【００３０】
カバー本体２の上端は、弁筺１２の蓋体１４の直下に位置している。このようにすれば、点検作業の際に、弁操作部用カバー１に手が届きやすく、その引き抜きをスムーズに行うことができる。このカバー本体２には、その長さ方向と直交する易切断線５が形成されている。この易切断線５によってカバー本体２を所定の長さに切断し得るようにすることで、現場において容易にその長さを調節することができる。このため、一つの弁操作部用カバー１で、深さの異なる弁筺１２に対応することができる。
【００３１】
このように易切断線５を形成する代わりに、例えば、上端又は下端のいずれか一端側に受け部を形成するとともに、上端又は下端のうち前記受け部を形成していない他端側にこの受け部に嵌る挿し部を形成した分割カバー本体を複数用意し、この分割カバー本体同士を上下方向に連結して一つのカバー本体を構成するようにしてもよい。受け部と挿し部とを連結する構成とすることにより、分割カバー本体同士の連結状態を一層確実なものとし、弁操作部用カバー１を弁筺１２から引き抜く際に、その引き抜き力によってカバー本体２が途中で不用意に切断するトラブルを防止することができる。
【００３２】
カバー本体２の上端部側には、ＩＣタグ６が設けられている。このＩＣタグ６には、仕切弁１１の位置情報（緯度、経度）やその他の関連情報（設置年、弁のタイプ、メーカ及び形式、弁の材質、弁の開閉方向及び開閉状態、管路の種類、土被り（地表面からの深さ）、前回までの点検履歴等）が格納されている。仕切弁１１の点検前に、ＩＣタグリーダＲを用いて、これらの情報を予め読み取っておくことで、その点検作業をスムーズに進めることができる。また、積雪時等によって弁筺１２自体を視認できない場合でも、ＩＣタグリーダＲを用いて、弁筺１２の位置を速やかに特定することができる。ＩＣタグ６を設けた位置を容易に把握するために、このＩＣタグ６をカバー本体２の表層部に設けるとともに、アクリル窓をＩＣタグ６に被せるように設けて、このＩＣタグ６を保護するのが好ましい。
【００３３】
上記のように易切断線５を形成して、カバー本体２の上端側を適宜切断し得るようにした場合には、その切断時にカバー本体２の上端側となる位置に、ＩＣタグ６を設けるための凹部（図示せず）を予め形成しておくことが好ましい。
【００３４】
一連の点検作業が完了したら、その情報をＩＣタグ６に追記することにより、次回以降の点検作業時にその情報を参照することができる。
【符号の説明】
【００３５】
１  弁操作部用カバー
２  カバー本体
３  カバー部
４  案内部材
５  易切断線
６  ＩＣタグ
１１  弁（仕切弁）
１２  弁筺
１３  操作部
１３ａ  キャップ
１４  蓋体
１５  台石
Ｓ  土砂
【図１】
2015152039.tif 000003
【図２】
2015152039.tif 000004
【図３】
2015152039.tif 000005